(57)【特許請求の範囲】
【請求項１】
点火トランスを、ケース内に収納し、ケースの開口にプリント基板を被着し、ケースの側面に形成した取付鍔に、アース端子板を配設して、前記プリント基板上のアース電路に電気的に接続すると共に、前記取付鍔に挿通する固定螺子を前記アース端子板に接続してアースするようにした高電圧発生装置において、
前記アース端子板を、固定螺子が挿入する螺挿孔が形成された主板部と、その一縁から下方へ屈曲してなる延出辺部と、該延出辺部から直角屈曲してなる横断辺部と、該横断辺部から、さらに上方へ屈曲してなり、プリント基板のスルホールに下方から挿入する挿入杆部としたコ字状接続枝とで構成し、
前記ケースの取付鍔の上面を、アース端子板の主板部が当接する装着座として、該取付鍔に、螺挿孔に一致する上下方向の取付孔を形成すると共に、該取付孔を横断してケースの側壁を貫通する長孔を形成すると共に、
コ字状接続枝を、前記長孔から下方へ貫通させ、さらに挿入杆部を下方からプリント基板のスルホールに挿入して前記アース端子板をケースに配設するようにしたことを特徴とする高電圧発生装置。
【発明の詳細な説明】
【０００１】
【発明の属する技術分野】
本発明は、点火トランスの出力端子から高電圧を発生させる高電圧発生装置にあって、そのアース接続手段に関するものである。
【０００２】
【従来の技術】
石油ファンヒータ，ガスコンロ等の、各種燃焼器具の着火源に利用される高電圧発生装置としては、二次コイルを巻装したコイルボビンの中心孔に、一次コイルを巻装した鉄心を挿通して構成された点火トランスを、充放電コンデンサ等が組み付けられたプリント基板に実装して、ケース内に収納してなるものが知られている。
【０００３】
また、この種の高電圧発生装置として、点火トランスを、ケース内に収納し、ケースの開口にプリント基板を被着し、ケースの側面に形成した取付鍔に、アース端子板を配設して、プリント基板上のアース電路に電気的に接続すると共に、取付鍔に挿通する固定螺子をアース端子板に接続して、アース接続を確保するようにしたものが提案されている。
【０００４】
【発明が解決しようとする課題】
ところで、上述の構成にあっては、図７で示すように、ケースａの取付鍔ｂに装着されるアース端子板ｃは、主板部の端縁から、板面に沿って接続杆部ｄを突成してなり、該接続杆部ｄをケースａの側面を貫通させて、ケースａの開口に被着したプリント基板ｐの導電路に、前記接続杆部ｄを重ね合わせて、半田付ｇにより、プリント基板ｐ上のアース電路と接続するようにしている。そして、該プリント基板ｐ上にウレタン樹脂等の絶縁材ｅを充填するようにしている。
【０００５】
ところで、この種の高電圧発生装置は、石油ファンヒータ等の高温雰囲気中で使用される場合が多く、大きな熱衝撃がかかり、絶縁材ｅ，ケースａ，プリント基板ｐの夫々の熱膨張率又は熱収縮率の相違により、前記絶縁材ｅがプリント基板ｐやケースａに対して変位を生じ、半田付ｇに面方向の負荷がかかって半田割れが発生し、接続杆部ｄとし，アース電路との電気的接続が損なわれる場合があった。
本発明は、かかる問題点を除去することを目的とするものである。
【０００６】
【課題を解決するための手段】
本発明は、アース端子板を、固定螺子が挿入する螺挿孔が形成された主板部と、その一縁から下方へ屈曲してなる延出辺部と、該延出辺部から直角屈曲してなる横断辺部と、該横断辺部から、さらに上方へ屈曲してなり、プリント基板のスルホールに下方から挿入する挿入杆部としたコ字状接続枝とで構成し、さらにケースの取付鍔の上面を、アース端子板の主板部が当接する装着座として、該取付鍔に、螺挿孔に一致する上下方向の取付孔を形成すると共に、該取付孔を横断してケースの側壁を貫通する長孔を形成するようにしたものである。そして、コ字状接続枝を、前記長孔から下方へ貫通させ、さらに挿入杆部を下方からプリント基板のスルホールに挿入して前記アース端子板をケースに配設するようにしたものである。
【０００７】
而して、アース端子板は、挿入杆部をプリント基板のスルホールに挿入して、該プリント基板に形成されたアース電路と接続されるため、熱衝撃が加わっても、スルホールに機械的に結合されているから、電気的接続が常に確保されることとなる。
【０００８】
【発明の実施の形態】
本発明を石油ファンヒータ等に用いる放電用高電圧発生装置に適用した実施例を添付図面について説明する。
【０００９】
図１〜３において、１は略方体状の下面開放の合成樹脂製ケースであって、その一側面に、二本の筒部２，２が形成され、該筒部２，２に高圧コード（図示しない）が外嵌する二次側出力端子３，３が設けられる。
一方、他側下面には、矩形突部４が形成され、該矩形突部４に形成された接続孔６，６を介して、一次側入力端子５ａ，５ｂが突成される。また該ケース１の両側には、取付孔が夫々形成された取付鍔７，８が突成されている。このうち、一方の取付鍔８には、後述するようにアース端子板２０が取付けられる。そして、アース端子板２０は、取付鍔８に挿通される固定螺子３０（図６中、一点鎖線で示して、その形態を省略している）と電気的に接続されて、アースが確保される。
【００１０】
このケース１の開口には、プリント基板１０が被着される。該プリント基板１０には、図２で示すように、点火トランス１１等が実装される。そして、プリント基板１０上に形成された導電路を介して、又は直接に、該点火トランス１１の一次側コイルの巻き始め端と、巻き終り端とが前記入力端子５ａ，５ｂに接続され、二次側コイルの一端が、前記出力端子３，３に接続される。また、二次側コイルの他端がプリント基板１０上のアース電路を介してアース端子板２０と接続される。さらには、プリント基板１０上には絶縁材１３が充填されて、プリント基板１０の露出面が電気的に絶縁保護される。
【００１１】
次に、本発明の要部につき説明する。
前記アース端子板２０は、固定螺子３０が挿入する螺挿孔２２が形成された主板部２１の端縁にコ字状接続枝２３が突成してなるものである。このコ字状接続枝２３は、主板部２１の一縁から下方へ屈曲してなる延出辺部２４と、該延出辺部２４から直角屈曲してなる横断辺部２５と、該横断辺部２５から、さらに上方へ屈曲してなる挿入杆部２６が連成して構成されている。
【００１２】
一方、前記ケース１の取付鍔８の上面には、アース端子板２０の主板部２１が座着し得るように、該主板部２１の形状と合致する平面形状を備え、かつ主板部２１の厚さよりも少し深い溝面からなる装着座２７が形成される。また、該取付鍔８に、主板部２１の螺挿孔２２に一致する上下方向の取付孔２８が形成される。さらには、取付孔２８の中心を通る長孔２９が前後方向に形成され、その内端がケース１の側壁９を貫通するようにしている。この長孔２９はアース端子板２０の挿入杆部２６の長さとほぼ等しくなるようにしている。
【００１３】
かかる構成にあって、前記アース端子板２０の取付け手段を説明する。
まず図５実線で示すように、挿入杆部２６を長孔２９と平行として、挿入杆部２６の直上位置で対峙させる。そして、該挿入杆部２６を平行移動して、長孔２９を貫通させ、図５の鎖線位置とする。この位置では、コ字状接続枝２３を少し内側に移動させて、傾倒可能とする。そして、該図５鎖線の矢線方向へ傾倒させ、これにより、図６で示すように、挿入杆部２６を、プリント基板１０に形成したスルホール１２に下方から挿入する。而して、主板部２１は装着座２７に座着され、螺挿孔２２が取付孔２８とほぼ同心状となる。また、スルホール１２には、半田付等が施されて、スルホール１２の内周面に形成された導電層と、挿入杆部２６との電気的接続が確保される。これにより、前記アース端子板２０は、プリント基板１０の所要のアース電路と接続することとなる。
【００１４】
而して、上述したようにアース端子板２０を垂直状として、挿入杆部２６を長孔２９に挿入して、さらに傾倒することにより、アース端子板２０の主板部２１を装着座２７に当接し、かつ挿入杆部２６をスルホール１２に挿入することにより、容易にアース端子板２０を取付鍔８に装着することができる。
そして、このアース端子板２０の装着後にプリント基板１０上に絶縁材１３が充填されて本発明に係る高電圧装置が完成することとなる。
【００１５】
そして、この構成により、一次側入力端子５ａ，５ｂに電圧を印加すると、点火トランス１１の二次コイルに高電圧が誘起され、この高電圧が二次側出力端子３，３から高圧コードによって取出され、点火火花の発生に供される。
【００１６】
かかる構成の高電圧発生装置にあって、石油ファンヒータ，ガスコンロ等の、各種燃焼器具の着火源として用いられるため、加熱及び冷却が恒常的に繰り返される。そしてこれにより、ケース１，プリント基板１０及び絶縁材１３に熱衝撃が作用して、収縮膨張が繰り返されるが、アース端子板２０の挿入杆部２６はスルホール１２に挿入して機械的に結合されているため、かかる熱衝撃によっても、電気的接続が損なわれることはない。
【００１７】
【発明の効果】
本発明は、上述したように、アース端子板２０を、固定螺子が挿入する螺挿孔２２が形成された主板部２１と、その一縁から延出するコ字状接続枝２３とで構成すると共に、前記ケース１の取付鍔８の上面に主板部２１を装着した状態で、コ字状接続枝２３の端部に形成した挿入杆部２６をプリント基板１０のスルホール１２に挿入して結合し、アース端子板２０をプリント基板１０のアース電路に接続するようにしたから、熱衝撃が加わっても、スルホール１２との連結が維持され、その電気的接続が常に確保されることとなる。
【００１８】
また、上述したように前記アース端子板２０を垂直状として、挿入杆部２６を取付鍔８に形成した長孔２９に挿入して、さらに傾倒することにより、アース端子板２０の主板部２１を装着座２７に当接し、かつ挿入杆部２６をスルホール１２に挿入するものであるから、容易にアース端子板２０を取付鍔８に装着することができる等の優れた効果がある。
【図面の簡単な説明】
【図１】高電圧発生装置の平面図である。
【図２】図１のＡ−Ａ断面図である。
【図３】ケース１の下方からみた斜視図である。
【図４】アース端子板２０の斜視図である。
【図５】アース端子板２０の装着過程を示す要部の縦断側面図である。
【図６】アース端子板２０の装着状態を示す要部の縦断側面図である。
【図７】従来構成の要部の縦断側面図である。
【符号の説明】
１  ケース
８  取付鍔
１０  プリント基板
１２  スルホール
１３  絶縁材
２０  アース端子板
２１  主板部
２２  螺挿孔
２３  コ字状接続枝
２４  延出辺部
２５  横断辺部
２６  挿入杆部
２７  装着座
２８  取付孔
２９  長孔
【図１】
0003660088.tif 000002
【図２】
0003660088.tif 000003
【図３】
0003660088.tif 000004
【図４】
0003660088.tif 000005
【図５】
0003660088.tif 000006
【図６】
0003660088.tif 000007
【図７】
0003660088.tif 000008